(57)【特許請求の範囲】
【請求項１】
移動局が在圏しているハンドオーバ元の基地局から送信された、ハンドオーバ先の基地局のＰＣＩを含むハンドオーバ要求を受信するハンドオーバ要求受信部と、
前記ハンドオーバ要求に含まれるＰＣＩが割り当てられた複数の基地局に、前記移動局のハンドオーバ処理を実行させるハンドオーバ指示を送信するハンドオーバ指示送信部と、
前記ハンドオーバ指示を受信した前記複数の基地局のうち、前記移動局との通信を確立した基地局以外の基地局に対して、前記ハンドオーバ指示送信部が送信したハンドオーバ指示をキャンセルさせるキャンセル制御部と、
同一のＰＣＩが割り当てられた複数の基地局のそれぞれが、同一の移動局識別情報が割り当てられた複数の移動局のそれぞれから受信した、前記移動局識別情報を含むパケットデータを前記複数の基地局から受信するパケットデータ受信部と、
前記パケットデータに含まれる前記移動局識別情報を変換する移動局識別情報変換部と、
前記移動局識別情報を変換した前記パケットデータを送信するパケットデータ送信部と
を備えるハンドオーバ制御装置。
【請求項２】
前記キャンセル制御部は、前記移動局との通信を確立した基地局以外の基地局に、前記ハンドオーバ指示送信部が送信したハンドオーバ指示をキャンセルさせるキャンセル命令を送信することにより、前記ハンドオーバ指示をキャンセルさせる、請求項１に記載のハンドオーバ制御装置。
【請求項３】
同一のＰＣＩが割り当てられた複数の基地局はｅＮＢ  ＩＤが同一であり、かつ、ｅＮＢ  Ｎａｍｅが異なり、
前記移動局識別情報変換部は、前記複数の基地局のそれぞれのｅＮＢ  Ｎａｍｅを用いて、前記パケットデータに含まれる前記移動局識別情報を変換する、請求項１に記載のハンドオーバ制御装置。
【請求項４】
前記ハンドオーバ要求受信部は、前記移動局が在圏しているハンドオーバ元のｅＮＢから送信された、ハンドオーバ先のＨｅＮＢのＰＣＩを含む前記ハンドオーバ要求を受信し、
ハンドオーバ指示送信部は、前記ハンドオーバ要求に含まれるＰＣＩが割り当てられた複数のＨｅＮＢに前記ハンドオーバ指示を送信し、
前記キャンセル制御部は、前記ハンドオーバ指示を受信した前記複数のＨｅＮＢのうち、前記移動局との通信を確立したＨｅＮＢ以外のＨｅＮＢに、前記ハンドオーバ指示送信部が送信したハンドオーバ指示をキャンセルさせ、
前記パケットデータ受信部は、同一のＰＣＩが割り当てられた複数のＨｅＮＢのそれぞれが、同一の移動局識別情報が割り当てられた複数の移動局のそれぞれから受信した、前記移動局識別情報を含むパケットデータを前記複数のＨｅＮＢから受信する、請求項１から３のいずれか一項に記載のハンドオーバ制御装置。
【請求項５】
コンピュータを、請求項１から４のいずれか一項に記載のハンドオーバ制御装置として機能させるためのプログラム。
【発明の詳細な説明】
【技術分野】
【０００１】
本発明は、ハンドオーバ制御装置及びプログラムに関する。
【背景技術】
【０００２】
従来、複数のセルに対してＰＣＩ（Ｐｈｙｓｉｃａｌ  Ｃｅｌｌ  Ｉｄｅｎｔｉｆｉｅｒ）を割り当てるときに、一のセルに隣接するセルに対して同一のＰＣＩが割り当たることのないように割り当てが行われていた（例えば、特許文献１参照）。
［先行技術文献］
［特許文献］
［特許文献１］特開２０１０−２６８４６３号公報
【発明の概要】
【発明が解決しようとする課題】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）では、ＰＣＩの数が５０４と規定されているので、例えば、マクロセル配下にフェムトセルを設置する場合、最大５０３個までしか設置することができなかった。
【課題を解決するための手段】
【０００４】
本発明の第１の態様によれば、移動局が在圏しているハンドオーバ元の基地局から送信された、ハンドオーバ先の基地局の識別情報を含むハンドオーバ要求を受信するハンドオーバ要求受信部と、ハンドオーバ要求に含まれる識別情報が割り当てられた複数の基地局に、移動局のハンドオーバ処理を実行させるハンドオーバ指示を送信するハンドオーバ指示送信部と、ハンドオーバ指示を受信した複数の基地局のうち、移動局との通信を確立した基地局以外の基地局に、ハンドオーバ指示送信部が送信したハンドオーバ指示をキャンセルさせるキャンセル制御部とを備えるハンドオーバ制御装置が提供される。
【０００５】
上記ハンドオーバ制御装置において、キャンセル制御部は、移動局との通信を確立した基地局以外の基地局に、ハンドオーバ指示送信部が送信したハンドオーバ指示をキャンセルさせるキャンセル命令を送信することにより、ハンドオーバ指示をキャンセルさせてよい。また、上記ハンドオーバ制御装置において、ハンドオーバ要求受信部は、移動局が在圏しているハンドオーバ元のｅＮＢから送信された、ハンドオーバ先のＨｅＮＢのＰＣＩを含むハンドオーバ要求を受信してよく、ハンドオーバ指示送信部は、ハンドオーバ要求に含まれるＰＣＩが割り当てられた複数のＨｅＮＢにハンドオーバ指示を送信してよく、キャンセル制御部は、ハンドオーバ指示を受信した複数のＨｅＮＢのうち、移動局との通信を確立したＨｅＮＢ以外のＨｅＮＢに対して、ハンドオーバ指示送信部が送信したハンドオーバ指示をキャンセルさせてよい。
【０００６】
また、上記ハンドオーバ制御装置は、同一のＰＣＩが割り当てられた複数のＨｅＮＢのそれぞれが、同一の移動局識別情報が割り当てられた複数の移動局のそれぞれから受信した、移動局識別情報を含むパケットデータを複数のＨｅＮＢから受信するパケットデータ受信部と、パケットデータに含まれる移動局識別情報を変換する移動局識別情報変換部と、移動局識別情報を変換したパケットデータを送信するパケットデータ送信部とをさらに備えてよい。また、上記ハンドオーバ制御装置において、同一のＰＣＩが割り当てられた複数のＨｅＮＢはｅＮＢ  ＩＤが同一であり、かつ、ｅＮＢ  Ｎａｍｅが異なってよく、移動局識別情報変換部は、複数のＨｅＮＢのそれぞれのｅＮＢ  Ｎａｍｅを用いて、パケットデータに含まれる移動局識別情報を変換してよい。
【０００７】
本発明の第２の態様によれば、コンピュータを、上記ハンドオーバ制御装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】通信システムの通信環境の一例を概略的に示す。
【図２】通信システムの処理の流れの一例を概略的に示す。
【図３】通信システムの通信環境の他の一例を概略的に示す。
【図４】ハンドオーバ制御装置の機能構成の一例を概略的に示す。
【図５】通信システムの他の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態にかかる通信システム１０の通信環境の一例を概略的に示す。通信システム１０は、ｅＮＢ（ｅＮｏｄｅＢ）１２、ＨｅＮＢ（Ｈｏｍｅ  ｅＮｏｄｅＢ）２２、ＨｅＮＢ３２、ＨｅＮＢ−ＧＷ（Ｈｏｍｅ  ｅＮｏｄｅＢ  Ｇａｔｅｗａｙ）１０２及びＭＭＥ（Ｍｏｂｉｌｉｔｙ  Ｍａｎａｇｅｍｅｎｔ  Ｅｎｔｉｔｙ）２００を含む。ｅＮＢ１２は、ＭＭＥ２００に接続されている。ＨｅＮＢ２２及びＨｅＮＢ３２は、ＨｅＮＢ−ＧＷ１０２を介してＭＭＥ２００に接続されている。ＨｅＮＢ−ＧＷ１０２は、ハンドオーバ制御装置１００の一例であってよい。
【００１２】
ｅＮＢ１２は、セル１３を形成する。ＨｅＮＢ２２は、セル２３を形成する。ＨｅＮＢ３２は、セル３３を形成する。セル２３及びセル３３は、セル１３の隣接セルである。隣接セルとは、カバーする範囲の少なくとも一部が重複するセルである。
【００１３】
ＨｅＮＢ２２及びＨｅＮＢ３２には同一のＰＣＩ（Ｐｈｙｓｉｃａｌ  Ｃｅｌｌ  Ｉｄｅｎｔｉｆｉｅｒ）が割り当てられており、ｅＮＢ１２には、ＨｅＮＢ２２及びＨｅＮＢ３２とは異なるＰＣＩが割り当てられている。図１に示す例では、ｅＮＢ１２にＰＣＩ＝１が割り当てられており、ＨｅＮＢ２２及びＨｅＮＢ３２にＰＣＩ＝２が割り当てられている。
【００１４】
本実施形態に係るＨｅＮＢ−ＧＷ１０２は、ｅＮＢ１２に在圏している移動局８２が、ｅＮＢ１２に隣接しており、同一のＰＣＩが割り当てられたＨｅＮＢ２２及びＨｅＮＢ３２にハンドオーバできるように制御する。これにより、ｅＮＢ１２の配下に、ＰＣＩの上限数を超える数のＨｅＮＢを配置可能にできる。なお、移動局８２がｅＮＢ１２に在圏しているとは、ｅＮＢ１２が形成するセル１３に移動局８２が在圏していることであってよい。
【００１５】
図２は、通信システム１０の処理の流れの一例を概略的に示す。図２では、ハンドオーバ元の基地局であるｅＮＢ１２に在圏している移動局８２を、ハンドオーバ先の基地局であるＨｅＮＢ２２にハンドオーバさせる場合の処理の流れについて概略的に説明する。
【００１６】
ステップ２０２（ステップをＳと省略して記載する場合がある。）では、ｅＮＢ１２が、ＲＲＣコネクション再構成指示（ＲＲＣ  Ｃｏｎｎｅｃｔｉｏｎ  Ｒｅｃｏｎｆｉｇｕｒａｔｉｏｎ）を移動局８２に送信する。移動局８２は、受信したＲＲＣコネクション再構成指示に含まれる設定内容に従って、周波数測定処理を実行する。
【００１７】
Ｓ２０４では、移動局８２が、ＲＲＣコネクション再構成指示に含まれる設定内容に従って測定した周波数測定結果を示す測定結果通知（Ｍｅａｓｕｒｅｍｅｎｔ  Ｒｅｐｏｒｔ）をｅＮＢ１２に送信する。ｅＮＢ１２は、移動局８２から受信した測定結果通知に基づいて、ハンドオーバ先の基地局の識別情報を特定する。ここでは、ハンドオーバ先の基地局の識別情報として、ＰＣＩ＝２を特定する。
【００１８】
Ｓ２０６では、ｅＮＢ１２が、特定したハンドオーバ先の基地局を識別する識別情報を含むハンドオーバ要求（ＨＯ  Ｒｅｑｕｅｓｔ）をＨｅＮＢ−ＧＷ１０２に送信する。ここでは、Ｓ２０４で特定したＰＣＩ＝２を含むハンドオーバ要求をＨｅＮＢ−ＧＷ１０２に送信する。
【００１９】
Ｓ２０８及びＳ２１０では、ＨｅＮＢ−ＧＷ１０２が、Ｓ２０４で受信したハンドオーバ要求に含まれるＰＣＩ＝２が割り当てられたＨｅＮＢ２２及びＨｅＮＢ３２に、移動局８２のハンドオーバ処理を実行させるハンドオーバ指示（ＨＯ  Ｒｅｑｕｅｓｔ）を送信する。Ｓ２０８でハンドオーバ指示を受信したＨｅＮＢ２２は、移動局８２に割り当てる無線リソースを確保する。Ｓ２１０でハンドオーバ指示を受信したＨｅＮＢ３２は、移動局８２に割り当てる無線リソースを確保する。
【００２０】
Ｓ２１２では、ｅＮＢ１２が、移動局８２にＲＲＣコネクション再構成指示を送信する。Ｓ２１４では、ｅＮＢ１２からＲＲＣコネクション再構成指示を受信した移動局８２が、ハンドオーバのターゲットセルであるＰＣＩ＝２の基地局に向けて、ＲＲＣコネクション再構成完了通知（ＲＲＣ  Ｃｏｎｎｅｃｔｉｏｎ  Ｒｅｃｏｎｆｉｇｕｒａｔｉｏｎ  Ｃｏｍｐｌｅｔｅ）を送信する。
【００２１】
ここで、ＨｅＮＢ２２にハンドオーバしようとしている移動局８２が発信する電波は、ＨｅＮＢ２２には到達するが、ＨｅＮＢ３２とは距離が離れているために到達しない。したがって、ＨｅＮＢ２２は、移動局８２が送信したＲＲＣコネクション再構成完了通知を受信するが、ＨｅＮＢ３２は受信しない。ＲＲＣコネクション再構成完了通知を受信したＨｅＮＢ２２と移動局８２との間では、ハンドオーバが完了して通信が確立される。
【００２２】
Ｓ２１６では、ＲＲＣコネクション再構成完了通知を受信したＨｅＮＢ２２が、パススイッチ要求（Ｐａｔｈ  Ｓｗｉｔｃｈ  Ｒｅｑｕｅｓｔ）をＨｅＮＢ−ＧＷ１０２に送信する。Ｓ２１８では、パススイッチ要求の受信に応じて、ＨｅＮＢ−ＧＷ１０２が、当該パススイッチ要求を送信したＨｅＮＢ２２に、パススイッチ肯定（Ｐａｔｈ  Ｓｗｉｔｃｈ  Ｒｅｑｕｅｓｔ  Ａｃｋ）を送信する。
【００２３】
Ｓ２２０では、ＨｅＮＢ−ＧＷ１０２が、Ｓ２０８及びＳ２１０でハンドオーバ指示を受信したＨｅＮＢ２２及びＨｅＮＢ３２のうち、移動局８２との通信を確立したＨｅＮＢ２２以外の基地局であるＨｅＮＢ３２に、Ｓ２１０で送信したハンドオーバ指示をキャンセルさせるハンドオーバキャンセル命令（ＨＡＮＤＯＶＥＲ  ＣＡＮＣＥＬ）を送信する。ハンドオーバキャンセル命令を受信したＨｅＮＢ３２は、Ｓ２１０で確保した無線リソースを解放する。
【００２４】
上述したように、本実施形態に係るＨｅＮＢ−ＧＷ１０２は、移動局８２が在圏しているハンドオーバ元の基地局から送信されたハンドオーバ要求に含まれるＰＣＩが割り当てられた基地局が複数ある場合に、当該複数の基地局のそれぞれにハンドオーバ指示を送信する。そして、複数の基地局のうち、移動局８２と通信を確立したＨｅＮＢ２２以外の基地局であるＨｅＮＢ３２に対してハンドオーバキャンセル命令を送信する。
【００２５】
本実施形態に係るＨｅＮＢ−ＧＷ１０２は、同様にして、ｅＮＢ１２に在圏している移動局８２を、ＨｅＮＢ３２にハンドオーバさせることもできる。このように、本実施形態に係るＨｅＮＢ−ＧＷ１０２は、ｅＮＢ１２に在圏している移動局８２が、ｅＮＢ１２に隣接しており、同一のＰＣＩが割り当てられたＨｅＮＢ２２及びＨｅＮＢ３２にハンドオーバできるように制御する。これにより、ｅＮＢ１２に隣接する複数のＨｅＮＢに対して同一のＰＣＩを割り当てることを可能にでき、ｅＮＢ１２の配下にＰＣＩの上限数を超える数のＨｅＮＢを配置可能にできる。
【００２６】
図３は、本実施形態に係る通信システム１０の通信環境の他の一例を概略的に示す。図３では、ＨｅＮＢ２２に在圏している移動局８２と、ＨｅＮＢ３２に在圏している移動局８４とに同一の移動局識別情報が割り当てられており、移動局８２及び移動局８４が、ＨｅＮＢ−ＧＷ１０２を介してパケット通信する場合について説明する。なお、移動局識別情報の例としては、ＵＥ  Ｓ１ＡＰ  ＩＤ及びＵＥ  Ｘ２ＡＰ  ＩＤ等が挙げられる。
【００２７】
上述したように、ＨｅＮＢ２２及びＨｅＮＢ３２には同一のＰＣＩが割り当てられている。またさらに、ＨｅＮＢ２２及びＨｅＮＢ３２には、基地局を識別可能な識別情報のうち、少なくとも一つの識別情報以外について、同一の情報が割り当てられていてよい。例えば、ＨｅＮＢ２２及びＨｅＮＢ３２には、同一のｅＮＢ  ＩＤと、同一のＴＡＩ（Ｔｒａｃｋｉｎｇ  Ａｒｅａ  ＩＤ）とが割り当てられており、異なるｅＮＢ  Ｎａｍｅが割り当てられている。
【００２８】
ＨｅＮＢ−ＧＷ１０２は、ＨｅＮＢ２２が移動局８２から受信した、移動局８２の移動局識別情報を含むパケットデータを、ＨｅＮＢ２２から受信する。また、ＨｅＮＢ−ＧＷ１０２は、ＨｅＮＢ３２が移動局８４から受信した、移動局８４の移動局識別情報を含むパケットデータを、ＨｅＮＢ３２から受信する。
【００２９】
ＨｅＮＢ−ＧＷ１０２は、移動局８２から送信されたパケットデータと、移動局８４から送信されたパケットデータとを識別可能にするべく、それぞれのパケットデータに含まれる移動局識別情報を変換する。例えば、ＨｅＮＢ−ＧＷ１０２は、ＨｅＮＢ２２及びＨｅＮＢ３２のＰＣＩに対して、ＨｅＮＢ２２とＨｅＮＢ３２とで異なる付加情報を付加して、移動局識別情報と組み合わせることによって、移動局識別情報を変換する。具体例として、ＨｅＮＢ２２から受信したパケットデータに含まれる移動局識別情報には、ＰＣＩ＝２に対して付加情報１を付加した２−１を組み合わせてよい。また、ＨｅＮＢ３２から受信したパケットデータに含まれる移動局識別情報には、ＰＣＩ＝２に対して付加情報２を付加した２−２を組み合わせてよい。
【００３０】
また、ＨｅＮＢ−ＧＷ１０２は、ＨｅＮＢ２２及びＨｅＮＢ３２に割り当てられた複数の識別情報のうちの、ＨｅＮＢ２２とＨｅＮＢ３２とで異なる識別情報を用いて、移動局識別情報を変換してもよい。例えば、ＨｅＮＢ−ＧＷ１０２は、ＨｅＮＢ２２から受信したパケットデータに含まれる移動局識別情報に対して、ＰＣＩ＝２と、ＨｅＮＢ２２のｅＮＢ  Ｎａｍｅとを組み合わせてよい。また、ＨｅＮＢ−ＧＷ１０２は、ＨｅＮＢ３２から受信したパケットデータに含まれる移動局識別情報に対して、ＰＣＩ＝２と、ＨｅＮＢ３２のｅＮＢ  Ｎａｍｅとを組み合わせてよい。ＨｅＮＢ−ＧＷ１０２は、ＨｅＮＢ２２から受信したパケットデータと、ＨｅＮＢ３２から受信したパケットデータとを識別可能にできれば、どのように移動局識別情報を変換してもよい。
【００３１】
上述したように、例えば、一の基地局に隣接する複数の基地局に対して同一のＰＣＩが割り当てられた場合であって、当該複数の基地局のそれぞれに在圏する移動局に対して同一の移動局識別情報が割り当てられた場合、移動局識別情報によっても、ＰＣＩによっても、移動局を識別できなくなってしまうところ、本実施形態に係るＨｅＮＢ−ＧＷ１０２によれば、ＨｅＮＢ２２から受信したパケットデータと、ＨｅＮＢ３２から受信したパケットデータとを識別可能にすることができる。これにより、パケットデータの送信先に、移動局を識別させることが可能となる。
【００３２】
図４は、ハンドオーバ制御装置１００の機能構成の一例を概略的に示す。ハンドオーバ制御装置１００は、ハンドオーバ要求受信部１１２、ハンドオーバ指示送信部１１４、パススイッチ要求受信部１２２、パススイッチ肯定送信部１２４、キャンセル制御部１３２、パケットデータ受信部１４２、移動局識別情報変換部１４４及びパケットデータ送信部１４６を備える。
【００３３】
ハンドオーバ要求受信部１１２は、移動局が在圏しているハンドオーバ元基地局１１から送信された、ハンドオーバ先の基地局の識別情報を含むハンドオーバ要求を受信する。ハンドオーバ要求受信部１１２は、ハンドオーバ元基地局１１から送信されたハンドオーバ要求を、ＭＭＥ２００を介して受信してよい。
【００３４】
ハンドオーバ指示送信部１１４は、ハンドオーバ要求受信部１１２が受信したハンドオーバ要求に含まれる識別情報が割り当てられた複数の基地局に、移動局のハンドオーバ処理を実行させるハンドオーバ指示を送信する。図４は、ハンドオーバ要求受信部１１２が受信したハンドオーバ要求に含まれる識別情報が割り当てられた基地局が、ハンドオーバ先基地局２１及びハンドオーバ先基地局３１の２つの基地局である場合を例示している。これに限らず、同一の識別情報が割り当てられた複数の基地局が、ハンドオーバ先基地局２１及びハンドオーバ先基地局３１以外の他の基地局を含んでよく、この場合、ハンドオーバ指示送信部１１４は、他の基地局にもハンドオーバ指示を送信する。
【００３５】
パススイッチ要求受信部１２２は、ハンドオーバ指示送信部１１４が送信したハンドオーバ指示を受信した複数の基地局のうちの一の基地局からパススイッチ要求を受信する。パススイッチ要求受信部１２２は、ハンドオーバ指示を受信した複数の基地局のうち、移動局との通信を確立した基地局からパススイッチ要求を受信してよい。図４は、パススイッチ要求受信部１２２が、ハンドオーバ先基地局２１からパススイッチ要求を受信する場合を例示している。
【００３６】
パススイッチ肯定送信部１２４は、パススイッチ要求受信部１２２によるパススイッチ要求の受信に応じて、パススイッチ要求を送信した基地局に対してパススイッチ肯定を送信する。図４は、パススイッチ肯定送信部１２４が、ハンドオーバ先基地局２１に対してパススイッチ肯定を送信する場合を例示している。
【００３７】
キャンセル制御部１３２は、ハンドオーバ指示送信部１１４が送信したハンドオーバ指示を受信した複数の基地局のうち、移動局との通信を確立した基地局以外の基地局に、ハンドオーバ指示送信部１１４が送信したハンドオーバ指示をキャンセルさせる。キャンセル制御部１３２は、例えば、ハンドオーバ指示送信部１１４が送信したハンドオーバ指示をキャンセルさせるハンドオーバキャンセル命令を送信することによって、ハンドオーバ指示をキャンセルさせる。また、キャンセル制御部１３２は、移動局との通信を確立した基地局以外の基地局に、ハンドオーバ指示送信部１１４が送信したハンドオーバ指示についてタイムアウトさせることにより、ハンドオーバ指示をキャンセルさせてもよい。
【００３８】
パケットデータ受信部１４２は、同一のＰＣＩが割り当てられた複数の基地局のそれぞれが、同一の移動局識別情報が割り当てられた複数の移動局のそれぞれから受信した移動局識別情報を含むパケットデータを、当該複数の基地局のそれぞれから受信する。図４は、ハンドオーバ先基地局２１及びハンドオーバ先基地局３１からパケットデータを受信する場合を例示している。
【００３９】
移動局識別情報変換部１４４は、パケットデータ受信部１４２が受信したパケットデータに含まれる移動局識別情報を変換する。移動局識別情報変換部１４４は、同一のＰＣＩが割り当てられた複数の基地局のそれぞれが、同一の移動局識別情報が割り当てられた複数の移動局のそれぞれから受信したパケットデータを識別可能にするべく、それぞれのパケットデータに含まれる移動局識別情報を変換する。
【００４０】
例えば、移動局識別情報変換部１４４は、複数の基地局のＰＣＩに対して、基地局毎に異なる付加情報を付加して、移動局識別情報と組み合わせることにより、移動局識別情報を変換する。また、移動局識別情報変換部１４４は、複数の基地局に割り当てられた複数の識別情報のうちの、基地局毎に異なる識別情報を用いて、移動局識別情報を変換してもよい。例えば、移動局識別情報変換部１４４は、複数の基地局のそれぞれに、互いに異なるｅＮＢ  Ｎａｍｅが割り当てられている場合、パケットデータに含まれる移動局識別情報に対して、ＰＣＩ及びｅＮＢ  Ｎａｍｅを組み合わせてよい。
【００４１】
パケットデータ送信部１４６は、パケットデータ受信部１４２が受信したパケットデータに含まれる移動局識別情報を、移動局識別情報変換部１４４が変換した移動局識別情報に置き換えて送信する。パケットデータ送信部１４６は、例えば、ＭＭＥ２００を介して、インターネット上の装置に対してパケットデータを送信する。パケットデータ送信部１４６が、パケットデータ受信部１４２が受信したパケットデータに含まれる移動局識別情報を、移動局識別情報変換部１４４によって変換された移動局識別情報に置き換えて送信することにより、パケットデータを受信した装置において、パケットデータの送信元の移動局を識別することができる。
【００４２】
上記実施形態では、ハンドオーバ制御装置１００の一例として、ＨｅＮＢ−ＧＷ１０２を挙げて説明したが、これに限らない。ＭＭＥ２００がハンドオーバ制御装置１００の一例であってもよい。
【００４３】
図５は、通信システム１０の他の一例を概略的に示す。図５に示す通信システム１０は、ｅＮＢ４２、ｅＮＢ４４、ｅＮＢ４６及びＭＭＥ２００を含む。ｅＮＢ４２、ｅＮＢ４４及びｅＮＢ４６はＭＭＥ２００に接続されている。
【００４４】
ｅＮＢ４２は、セル４３を形成する。ｅＮＢ４４は、セル４５を形成する。ｅＮＢ４６は、セル４７を形成する。セル４５及びセル４７は、セル４３の隣接セルである。
【００４５】
ｅＮＢ４４及びｅＮＢ４６には同一のＰＣＩが割り当てられており、ｅＮＢ４２にはｅＮＢ４４及びｅＮＢ４６と異なるＰＣＩが割り当てられている。図５に示す例では、ｅＮＢ４２にＰＣＩ＝１が割り当てられており、ｅＮＢ４４及びｅＮＢ４６にはＰＣＩ＝２が割り当てられている。
【００４６】
ここでは、ｅＮＢ４２に在圏している移動局８２がｅＮＢ４４にハンドオーバできるように、ＭＭＥ２００が制御する場合について簡単に説明する。まず、ＭＭＥ２００は、ｅＮＢ４２から送信された、ｅＮＢ４４の識別情報であるＰＣＩ＝２を含むハンドオーバ要求を受信する。
【００４７】
次に、ＭＭＥ２００は、受信したハンドオーバ要求に含まれるＰＣＩ＝２が割り当てられたｅＮＢ４４及びｅＮＢ４６に、移動局８２のハンドオーバ処理を実行させるハンドオーバ指示を送信する。そして、ＭＭＥ２００は、ｅＮＢ４４及びｅＮＢ４６のうち、パススイッチ要求を送信した一方にパススイッチ肯定を送信し、他方にハンドオーバキャンセル命令を送信する。これにより、移動局８２をｅＮＢ４４にハンドオーバさせることができる。
【００４８】
このように、ハンドオーバ制御装置１００の一例はＭＭＥ２００であってもよい。また、本実施形態では、ハンドオーバ制御装置１００をＬＴＥ（Ｌｏｎｇ  Ｔｅｒｍ  Ｅｖｏｌｕｔｉｏｎ）システムに適用する場合を主に例に挙げて説明したが、これに限らず、３Ｇ（３ｒｄ  Ｇｅｎｅｒａｔｉｏｎ）システムに適用してもよい。この場合、ＲＮＣ（Ｒａｄｉｏ  Ｎｅｔｗｏｒｋ  Ｃｏｎｔｒｏｌｌｅｒ）が、ハンドオーバ制御装置１００として機能してよい。
【００４９】
以上の説明において、ハンドオーバ制御装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、ハンドオーバ制御装置１００として機能してもよい。プログラムは、コンピュータ読み取り可能な媒体又はネットワークに接続された記憶装置から、ハンドオーバ制御装置１００の少なくとも一部を構成するコンピュータにインストールされてよい。
【００５０】
コンピュータにインストールされ、コンピュータを本実施形態に係るハンドオーバ制御装置１００として機能させるプログラムは、ＣＰＵ等に働きかけて、コンピュータを、ハンドオーバ制御装置１００の各部としてそれぞれ機能させる。これらのプログラムに記述された情報処理は、コンピュータに読込まれることにより、ソフトウエアとハンドオーバ制御装置１００のハードウエア資源とが協働した具体的手段として機能する。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５３】
１０  通信システム、１１  ハンドオーバ元基地局、１２  ｅＮＢ、１３  セル、２１  ハンドオーバ先基地局、２２  ＨｅＮＢ、２３  セル、３１  ハンドオーバ先基地局、３２  ＨｅＮＢ、３３  セル、４２  ｅＮＢ、４３  セル、４４  ｅＮＢ、４５  セル、４６  ｅＮＢ、４７  セル、８２  移動局、８４  移動局、１００  ハンドオーバ制御装置、１０２  ＨｅＮＢ−ＧＷ、１１２  ハンドオーバ要求受信部、１１４  ハンドオーバ指示送信部、１２２  パススイッチ要求受信部、１２４  パススイッチ肯定送信部、１３２  キャンセル制御部、１４２  パケットデータ受信部、１４４  移動局識別情報変換部、１４６  パケットデータ送信部、２００  ＭＭＥ
【図１】
0006027571.tif 000002
【図２】
0006027571.tif 000003
【図３】
0006027571.tif 000004
【図４】
0006027571.tif 000005
【図５】
0006027571.tif 000006